(57)【要約】 【課題】  効率よくガソリンを調製できるガソリン調製システムを提供する。【解決手段】  精製装置から流出する基材留分の性状および流量を測定する。測定した基材留分の性状および流量に基づいて、基材タンクで混合により調製するガソリン基材の性状を演算する。演算したガソリン基材の性状を、あらかじめ調製したガソリン基材に相当する擬似サンプルの調製時における基材留分の性状および混合比率で演算した性状と、実際の性状の分析値との誤差を補正する補正値で補正し、調製するガソリン基材の性状として認識する。直接測定する必要がなく、ガソリン基材の性状を精度良く良好に逐次演算でき、ガソリン基材の性状を測定するための構成や作業などが不要で、構成の簡略化および効率化ができる。擬似サンプルを別途調製するのみで精度良く性状を特定でき、容易にガソリン基材の性状を認識できる。【選択図】 図２
2006225507.tif 000002
【特許請求の範囲】
【請求項１】
性状の異なる複数の基材を各基材の性状に基づいて適宜混合して石油製品を製造するための調製制御装置であって、
複数の精製装置にてそれぞれ精製される基材留分の性状を認識する留分性状認識手段と、
前記基材留分がそれぞれ基材タンクへ流入する流入量を認識する留分流量認識手段と、
前記基材留分が前記基材タンクに流入されて調製される前記基材に相当しあらかじめ前記基材留分を適宜混合して調製した擬似基材の性状、前記留分性状認識手段で認識した前記各基材留分の性状、および、前記留分流量認識手段で認識した前記各基材留分の流入量に基づいて、前記基材留分が前記基材タンクに流入されて調製される前記基材の性状を認識する基材特性認識手段と、
を具備したことを特徴とした調製制御装置。
【請求項２】
請求項１に記載の調製制御装置であって、
前記基材特性認識手段は、前記擬似基材における調製時の前記基材留分の各性状および混合比率に基づいて演算される前記擬似基材の性状と、前記調製後の擬似基材における性状の分析値と、に基づいて、前記留分性状認識手段で認識した前記各基材留分の性状および前記留分流量認識手段で認識した前記各基材留分の流入量に基づく前記基材の性状を補正して、前記基材の性状として認識する
ことを特徴とした調製制御装置。
【請求項３】
請求項１に記載の調製制御装置であって、
前記基材特性認識手段は、前記擬似基材における調製時の前記基材留分の各性状および混合比率に基づいて演算される前記擬似基材の性状と、前記調製後の擬似基材における性状の分析値との差異を補正する補正値を利用し、前記留分性状認識手段で認識した前記基材留分の性状、および、前記留分流量認識手段で認識した流入量に基づいて、前記基材の性状を認識する
ことを特徴とした調製制御装置。
【請求項４】
請求項２または請求項３に記載の調製制御装置であって、
前記基材特性認識手段は、前記留分性状認識手段で認識した前記基材留分の性状に前記留分流量認識手段で認識した流入量に基づく混合比率を積算した総和を、前記擬似基材における調製時の前記基材留分の各性状および混合比率に基づいて演算される前記擬似基材の性状と前記調製後の擬似基材における性状の分析値との差異を補正する補正値で補正する演算により、前記基材の性状を認識する
ことを特徴とした調製制御装置。
【請求項５】
請求項１ないし請求項４のいずれかに記載の調製制御装置であって、
前記基材特性認識手段により認識した前記基材の性状が前記石油製品を製造するために必要な前記基材の性状に対応する状態に、前記基材留分が前記基材タンクへ流入する流入量を調整する流量調整手段における前記基材留分の各流入量の調整を制御する留分流量制御手段を具備した
ことを特徴とした調製制御装置。
【請求項６】
性状の異なる複数の基材を各基材の性状に基づいて適宜混合して石油製品を製造する石油製品の製造装置であって、
複数の精製装置にてそれぞれ精製される基材留分がそれぞれ流入され前記基材留分が混合された前記基材を貯留する基材タンクと、
この基材タンクに流入する前記基材留分の性状をそれぞれ測定する留分性状測定手段と、
前記基材留分がそれぞれ前記基材タンクへ流入する流入量を測定する留分流量測定手段と、
前記留分性状測定手段にて測定した前記各基材留分の性状および前記留分流量測定手段で測定した前記各基材留分の流入量を認識して前記基材の性状を認識する請求項１ないし請求項５のいずれかに記載の調製制御装置と、
を具備したことを特徴とした石油製品の製造装置。
【請求項７】
性状の異なる複数の基材各基材の性状に基づいて適宜混合して石油製品を製造する石油製品の製造装置であって、
複数の精製装置にてそれぞれ精製される基材留分がそれぞれ流入され前記基材留分が混合された前記基材を貯留する基材タンクと、
この基材タンクに流入する前記基材留分の性状をそれぞれ測定する留分性状測定手段と、
前記基材留分がそれぞれ前記基材タンクへ流入する流入量を測定する留分流量測定手段と、
前記基材留分が前記基材タンクに流入されて調製される前記基材に相当しあらかじめ前記基材留分を適宜混合して調製した擬似基材の性状、前記留分性状測定手段で測定した前記各基材留分の性状、および、前記留分流量測定手段で認識した前記各基材留分の流入量に基づいて、前記基材留分が前記基材タンクに流入されて調製される前記基材の性状を認識する調製制御装置と、
を具備したことを特徴とした石油製品の製造装置。
【請求項８】
請求項７に記載の石油製品の製造装置であって、
前記調製制御装置は、前記擬似基材における調製時の前記基材留分の各性状および混合比率に基づいて演算される前記擬似基材の性状と、前記調製後の擬似基材における性状の分析値とに基づいて、前記留分性状測定手段で測定した前記各基材留分の性状および前記留分流量測定手段で測定した前記各基材留分の流入量に基づく前記基材の性状を補正して、前記基材の性状として認識する
ことを特徴とした石油製品の製造装置。
【請求項９】
請求項７に記載の石油製品の製造装置であって、
前記調製制御装置は、前記擬似基材における調製時の前記基材留分の各性状および混合比率に基づいて演算される前記擬似基材の性状と、前記調製後の擬似基材における性状の分析値との差異を補正する補正値を利用し、前記留分性状測定手段で測定した前記基材留分の性状、および、前記留分流量測定手段で測定した流入量に基づいて、前記基材の性状を認識する
ことを特徴とした石油製品の製造装置。
【請求項１０】
請求項８または請求項９に記載の石油製品の製造装置であって、
前記調製制御装置は、前記留分性状測定手段で測定した前記基材留分の性状に前記留分流量測定手段で測定した流量に基づく混合比率を積算した総和を、前記擬似基材における調製時の前記基材留分の性状および混合率に基づいて演算される前記擬似基材の性状と前記調製後の擬似基材における性状の分析値との差異を補正する補正値で補正する演算により、前記基材の性状を認識する
ことを特徴とした石油製品の製造装置。
【請求項１１】
請求項６ないし請求項１０のいずれかに記載の石油製品の製造装置であって、
前記基材留分が前記基材タンクへ流入する流入量を調整する流量調整手段を具備し、
前記調製制御装置は、前記認識した基材の性状が前記石油製品を製造するために必要な前記基材の性状に対応する状態に、前記流量調整手段を制御して前記基材留分の各流入量を調整する
ことを特徴とした石油製品の製造装置。
【請求項１２】
請求項６ないし請求項１１のいずれかに記載の石油製品の製造装置であって、
前記精製装置から前記基材留分を前記基材タンクへ流入させる搬送ラインと、
この搬送ラインに設けられ前記各精製装置からの基材留分を管内混合する管内混合装置と、を具備した
ことを特徴とした石油製品の製造装置。
【請求項１３】
演算手段により、性状の異なる複数の基材を各基材の性状に基づいて適宜混合して石油製品を製造するための調製制御方法であって、
複数の精製装置にてそれぞれ精製される基材留分の性状を認識するとともに、前記基材留分がそれぞれ基材タンクへ流入する流入量を認識し、
前記基材留分が前記基材タンクに流入されて調製される前記基材に相当しあらかじめ前記基材留分を適宜混合して調製した擬似基材の性状と、前記認識した各基材留分の性状と、前記認識した各基材留分の流入量とに基づいて、前記基材留分が前記基材タンクに流入されて調製される前記基材の性状を演算する
ことを特徴とする調製制御方法。
【請求項１４】
性状の異なる複数の基材を各基材の性状に基づいて適宜混合して石油製品を製造する石油製品の製造方法であって、
複数の精製装置にてそれぞれ精製される基材留分の性状、および、前記基材留分がそれぞれ基材タンクへ流入する流入量を測定し、
前記基材留分が前記基材タンクに流入されて調製される前記基材に相当しあらかじめ前記基材留分を適宜混合して調製した擬似基材の性状と、前記測定した各基材留分の性状および流入量とに基づいて、前記基材留分が前記基材タンクに流入されて調製される前記基材の性状を認識し、
この認識した基材の性状に基づいて前記各基材を適宜混合して前記石油製品を製造する
ことを特徴とする石油製品の製造方法。
【請求項１５】
演算手段を、請求項１ないし請求項５のいずれかに記載の調製制御装置として機能させる
ことを特徴とした調製制御プログラム。
【請求項１６】
請求項１４に記載の調製制御方法を演算手段に実行させる
ことを特徴とした調製制御プログラム。
【請求項１７】
請求項１５または請求項１６に記載の調製制御プログラムが演算手段に読取可能に記録された
ことを特徴とした調製制御プログラムを記録した記録媒体。
【発明の詳細な説明】
【技術分野】
【０００１】
本発明は、性状の異なる複数の基材を各基材の性状に基づいて適宜混合して石油製品を製造するための調製制御装置、その方法、そのプログラム、および、そのプログラムを記録した記録媒体、並びに、石油製品の製造装置、および、その方法に関する。
【背景技術】
【０００２】
従来、例えばガソリンなどの石油製品を製造する各種方法が知られている。これら従来の石油製品の製造方法として、例えば各種精製工程で得られた留分の性状をそれぞれ測定し、所定の流量で混合して所定の性状のガソリンを調製する構成が知られている（例えば、特許文献１参照）。
【０００３】
特許文献１に記載のものは、原油を適宜蒸留して得られた各種基材留分をそれぞれ精製する精製装置に設けた性状測定器により、精製した基材の性状を測定する。この測定した基材の性状に基づいて、精製装置に設けた精製制御手段により、基材のオクタン価、蒸留性状、蒸気圧などを演算し、所定管理値と比較して精製条件を自動調整する。また、精製装置で精製された基材を貯蔵する基材タンクにおける基材の性状を、性状測定器で演算した基材の性状値、精製装置から基材タンクへ流入する流量、あらかじめ基材タンク内に貯留する基材の性状および在庫量に基づいて、性状測定手段により基材の性状を演算する。そして、性状測定手段で演算した各基材の性状に基づいて、非線形計画法にて混合初期のブレンド比率を演算し、このブレンド比率で混合する。この後、混合調製された製品の性状を性状測定器にて測定し、ブレンド制御手段にて製品の性状値と性状目標値とに基づいて各基材の流量を流量調整器で自動調整させる構成が採られている。
【０００４】
【特許文献１】特許第３２５４０３８号公報（第３頁左欄〜第４頁右欄）
【発明の開示】
【発明が解決しようとする課題】
【０００５】
しかしながら、上述した特許文献１に記載のような従来の製造方法では、精製した基材の性状に測定して貯留する基材タンクでの性状を測定し、基材タンク内の性状を演算し、
得られた各基材タンク内の基材の性状に基づいてブレンド比率を演算して、別途測定した製品の性状と目標値とに基づいて比率調整を制御しているので、基材の性状が確定した後に基材の混合が開始されることとなり、製品の調製前段階で時間を要する。このことにより、さらなる製造効率の向上が望まれている。
【０００６】
本発明の目的は、このような問題点に鑑み、効率よく石油製品が製造され構成の簡略化が容易な調製制御装置、その方法、そのプログラム、および、そのプログラムを記録した記録媒体、並びに、石油製品の製造装置、および、その方法を提供することにある。
【課題を解決するための手段】
【０００７】
本発明の調製制御装置は、性状の異なる複数の基材を各基材の性状に基づいて適宜混合して石油製品を製造するための調製制御装置であって、複数の精製装置にてそれぞれ精製される基材留分の性状を認識する留分性状認識手段と、前記基材留分がそれぞれ基材タンクへ流入する流入量を認識する留分流量認識手段と、前記基材留分が前記基材タンクに流入されて調製される前記基材に相当しあらかじめ前記基材留分を適宜混合して調製した擬似基材の性状、前記留分性状認識手段で認識した前記各基材留分の性状、および、前記留分流量認識手段で認識した前記各基材留分の流入量に基づいて、前記基材留分が前記基材タンクに流入されて調製される前記基材の性状を認識する基材特性認識手段と、を具備したことを特徴とする。
【０００８】
この発明では、留分性状認識手段にて認識し複数の精製装置にてそれぞれ精製される基材留分の性状と、留分流量認識手段にて認識し基材留分がそれぞれ基材タンクへ流入する流入量と、基材留分が基材タンクに流入されて調製される基材に相当しあらかじめ基材留分を適宜混合して調製した擬似基材の性状と、に基づいて、基材特性認識手段により基材留分が基材タンクに流入されて調製される基材の性状を認識している。このため、基材の性状を直接測定する必要がなく、石油製品を製造するための基材の性状が逐次認識可能で、石油製品が連続的に製造可能となり、効率的な石油製品の製造が得られる。さらに、基材の性状を測定するための構成や作業などが不要となり、構成の簡略化および効率化も容易に図れる。また、擬似基材を別途調製する動作を１回実施するのみで、基材の性状を測定することなく良好な基材の性状が特定され、容易な基材の性状の認識が得られる。
【０００９】
そして、本発明では、前記基材特性認識手段は、前記擬似基材における調製時の前記基材留分の各性状および混合比率に基づいて演算される前記擬似基材の性状と、前記調製後の擬似基材における性状の分析値と、に基づいて、前記留分性状認識手段で認識した前記各基材留分の性状および前記留分流量認識手段で認識した前記各基材留分の流入量に基づく前記基材の性状を補正して、前記基材の性状として認識する構成とすることが好ましい。この発明では、留分性状認識手段で認識した各基材留分の性状および留分流量認識手段で認識した各基材留分の流入量に基づく基材の性状を、別途調製した擬似基材における調製時の基材留分の各性状および混合比率に基づいて演算される性状と、調製後の擬似基材における性状の実際の分析値とに基づいて補正することで基材の性状を認識するので、基材を測定する必要なく良好な基材の性状の特定が逐次得られるとともに、良好な基材の性状の特定が補正する演算などにより迅速で効率的に容易に得られる。
【００１０】
また、本発明では、前記基材特性認識手段は、前記擬似基材における調製時の前記基材留分の各性状および混合比率に基づいて演算される前記擬似基材の性状と、前記調製後の擬似基材における性状の分析値との差異を補正する補正値を利用し、前記留分性状認識手段で認識した前記基材留分の性状、および、前記留分流量認識手段で認識した流入量に基づいて、前記基材の性状を認識する構成とすることが好ましい。この発明では、別途調製した擬似基材における調製時の基材留分の性状および混合比率に基づいて演算される性状と、調製後の擬似基材における性状の実際の分析値との差異を補正する補正値を利用して、留分性状認識手段で認識した各基材留分の性状および留分流量認識手段で認識した各基材留分の流入量に基づいて基材の性状を認識するので、基材を測定する必要なく良好な基材の性状の特定が逐次得られるとともに、良好な基材の性状の特定が補正する演算などにより迅速で効率的に容易に得られる。
【００１１】
さらに、本発明では、前記基材特性認識手段は、前記留分性状認識手段で認識した前記基材留分の性状に前記留分流量認識手段で認識した流入量に基づく混合比率を積算した総和を、前記擬似基材における調製時の前記基材留分の各性状および混合比率に基づいて演算される前記擬似基材の性状と前記調製後の擬似基材における性状の分析値との差異を補正する補正値で補正する演算により、前記基材の性状を認識する構成とすることが好ましい。この発明では、基材留分の性状に流入量に基づく混合比率を積算した総和を、別途調製した擬似基材の演算された性状および実際の分析値の性状との差異を補正する補正値で補正して基材の性状を認識するので、基材を測定する必要なく良好な基材の性状の特定が逐次容易に得られるとともに、良好な基材の性状の特定が補正する演算などにより迅速で効率的に容易に得られる。
【００１２】
また、本発明では、前記基材特性認識手段により認識した前記基材の性状が前記石油製品を製造するために必要な前記基材の性状に対応する状態に、前記基材留分が前記基材タンクへ流入する流入量を調整する流量調整手段における前記基材留分の各流入量の調整を制御する留分流量制御手段を具備した構成とすることが好ましい。この発明では、留分流量制御手段により、調整流量調整手段にて調整される基材留分が基材タンクへ流入する各流入量を、認識した基材の性状が石油製品を製造するために必要な基材の性状に対応する性状となる流入量に制御するので、基材留分が流入して調製された基材を、認識した基材の性状に基づいて適宜混合させる石油製品の製造に直ちに利用可能で、効率的な石油製品の製造が得られるとともに、自動的な制御が容易に可能となり、石油製品の製造が容易となる。
【００１３】
本発明の石油製品の製造装置は、性状の異なる複数の基材を各基材の性状に基づいて適宜混合して石油製品を製造する石油製品の製造装置であって、複数の精製装置にてそれぞれ精製される基材留分がそれぞれ流入され前記基材留分が混合された前記基材を貯留する基材タンクと、この基材タンクに流入する前記基材留分の性状をそれぞれ測定する留分性状測定手段と、前記基材留分がそれぞれ前記基材タンクへ流入する流入量を測定する留分流量測定手段と、前記留分性状測定手段にて測定した前記各基材留分の性状および前記留分流量測定手段で測定した前記各基材留分の流入量を認識して前記基材の性状を認識する請求項１ないし請求項５のいずれかに記載の調製制御装置と、を具備したことを特徴とする。
【００１４】
この発明では、留分流量測定手段にて測定し複数の精製装置にてそれぞれ精製される基材留分の性状と、留分流量測定手段にて測定し基材留分がそれぞれ基材タンクへ流入する流入量とを、請求項１ないし請求項５のいずれかに記載の調製制御装置で認識して基材の性状を認識する。このため、基材の性状を直接測定する必要がなく基材の性状が逐次認識されるので、石油製品が連続的に製造可能となり、効率的な石油製品の製造が得られる。さらに、基材の性状を測定するための構成や作業などが不要となり、構成の簡略化および効率化も容易に図れる。また、擬似基材を別途調製する動作を１回実施するのみで、基材の性状を測定することなく良好な基材の性状が特定されるので、基材の性状の逐次認識が容易で、効率的な正規製品の製造が容易に得られる。
【００１５】
本発明の石油製品の製造装置は、性状の異なる複数の基材各基材の性状に基づいて適宜混合して石油製品を製造する石油製品の製造装置であって、複数の精製装置にてそれぞれ精製される基材留分がそれぞれ流入され前記基材留分が混合された前記基材を貯留する基材タンクと、この基材タンクに流入する前記基材留分の性状をそれぞれ測定する留分性状測定手段と、前記基材留分がそれぞれ前記基材タンクへ流入する流入量を測定する留分流量測定手段と、前記基材留分が前記基材タンクに流入されて調製される前記基材に相当しあらかじめ前記基材留分を適宜混合して調製した擬似基材の性状、前記留分性状測定手段で測定した前記各基材留分の性状、および、前記留分流量測定手段で認識した前記各基材留分の流入量に基づいて、前記基材留分が前記基材タンクに流入されて調製される前記基材の性状を認識する調製制御装置と、を具備したことを特徴とする。
【００１６】
この発明では、留分性状測定手段にて測定し複数の精製装置にてそれぞれ精製される基材留分の性状と、留分流量測定手段にて測定し基材留分がそれぞれ基材タンクへ流入する流入量と、基材留分が基材タンクに流入されて調製される基材に相当しあらかじめ基材留分を適宜混合して調製した擬似基材の性状と、に基づいて、調製制御装置により基材留分が基材タンクに流入されて調製される基材の性状を認識する。このため、基材の性状を直接測定する必要がなく基材の性状が逐次認識されるので、石油製品が連続的に製造可能となり、効率的な石油製品の製造が得られる。さらに、基材の性状を測定するための構成や作業などが不要となり、構成の簡略化および効率化も容易に図れる。また、擬似基材を別途調製する動作を１回実施するのみで、基材の性状を測定することなく良好な基材の性状が特定されるので、基材の性状の逐次認識が容易で、効率的な石油製品の製造が容易に得られる。
【００１７】
そして、本発明では、前記調製制御装置は、前記擬似基材における調製時の前記基材留分の各性状および混合比率に基づいて演算される前記擬似基材の性状と、前記調製後の擬似基材における性状の分析値とに基づいて、前記留分性状測定手段で測定した前記各基材留分の性状および前記留分流量測定手段で測定した前記各基材留分の流入量に基づく前記基材の性状を補正して、前記基材の性状として認識する構成とすることが好ましい。この発明では、留分性状測定手段で測定した各基材の性状および留分流量測定手段で測定した各基材留分の流入量に基づく基材の性状を、別途調製した擬似基材における調製時の基材留分の各性状および混合比率に基づいて演算される性状と、調製後の擬似基材における性状の実際の分析値とに基づいて補正することで基材の性状を認識するので、基材を測定する必要なく良好な基材の性状の特定が逐次得られ良好な基材の性状の特定が補正する演算などにより迅速で効率的に容易に得られるため、石油製品を製造するための構成の簡略化や製造効率の向上が容易に図れる。
【００１８】
また、本発明では、前記調製制御装置は、前記擬似基材における調製時の前記基材留分の各性状および混合比率に基づいて演算される前記擬似基材の性状と、前記調製後の擬似基材における性状の分析値との差異を補正する補正値を利用し、前記留分性状測定手段で測定した前記基材留分の性状、および、前記留分流量測定手段で測定した流入量に基づいて、前記基材の性状を認識する構成とすることが好ましい。この発明では、別途調製した擬似基材における調製時の基材留分の性状および混合比率に基づいて演算される性状と、調製後の擬似基材における性状の実際の分析値との差異を補正する補正値を利用して、留分性状認識手段で認識した各基材の性状および留分流量認識手段で認識した各基材留分の流入量に基づいて基材の性状を認識するので、基材を測定する必要なく良好な基材の性状の特定が逐次得られ良好な基材の性状の特定が補正する演算などにより迅速で効率的に容易に得られるため、石油製品を製造するための構成の簡略化や製造効率の向上が容易に図れる。
【００１９】
さらに、本発明では、前記調製制御装置は、前記留分性状測定手段で測定した前記基材留分の性状に前記留分流量測定手段で測定した流量に基づく混合比率を積算した総和を、前記擬似基材における調製時の前記基材留分の性状および混合率に基づいて演算される前記擬似基材の性状と前記調製後の擬似基材における性状の分析値との差異を補正する補正値で補正する演算により、前記基材の性状を認識する構成とすることが好ましい。この発明では、基材留分の性状に流入量に基づく混合比率を積算した総和を、別途調製した擬似基材の演算された性状および実際の分析値の性状との差異を補正する補正値で補正して基材の性状を認識するので、基材を測定する必要なく良好な基材の性状の特定が逐次容易に得られ良好な基材の性状の特定が補正する演算などにより迅速で効率的に容易に得られるため、石油製品を製造するための構成の簡略化や製造効率の向上が容易に図れる。
【００２０】
また、本発明では、前記基材留分が前記基材タンクへ流入する流入量を調整する流量調整手段を具備し、前記調製制御装置は、前記認識した基材の性状が前記石油製品を製造するために必要な前記基材の性状に対応する状態に、前記流量調整手段を制御して前記基材留分の各流入量を調整する構成とすることが好ましい。この発明では、留分流量制御手段により、調整流量調整手段にて調整される基材留分が基材タンクへ流入する各流入量を、認識した基材の性状が石油製品を製造するために必要な基材の性状に対応する性状となる流入量に制御するので、基材留分が流入して調製された基材を、認識した基材の性状に基づいて適宜混合させる石油製品の製造に直ちに利用可能で、効率的な石油製品の製造が得られるとともに、自動的な制御が容易に可能となり、石油製品の製造が容易となる。
【００２１】
さらに、本発明では、前記精製装置から前記基材留分を前記基材タンクへ流入させる搬送ラインと、この搬送ラインに設けられ前記各精製装置からの基材留分を管内混合する管内混合装置と、を具備した構成とすることが好ましい。この発明では、精製装置から基材留分を基材タンクへ流入させる搬送ラインに、各精製装置からの基材留分を管内混合する管内混合装置を設けている。このため、各基材留分は基材タンクに流入する前に既に混合される状態となり、基材タンクの基材の性状の簡単な構成による均一化が容易に得られ、短時間で効率よく石油製品の製造が得られる。そして、例えば管内混合装置としてスタティックミキサを用いることで、簡単な構成で管内混合が得られるとともに、動力源が不要であることから、石油製品の製造コストの低減も容易に図れる。
【００２２】
本発明の調製制御方法は、演算手段により、性状の異なる複数の基材を各基材の性状に基づいて適宜混合して石油製品を製造するための調製制御方法であって、複数の精製装置にてそれぞれ精製される基材留分の性状を認識するとともに、前記基材留分がそれぞれ基材タンクへ流入する流入量を認識し、前記基材留分が前記基材タンクに流入されて調製される前記基材に相当しあらかじめ前記基材留分を適宜混合して調製した擬似基材の性状と、前記認識した各基材留分の性状と、前記認識した各基材留分の流入量とに基づいて、前記基材留分が前記基材タンクに流入されて調製される前記基材の性状を演算することを特徴とする。
【００２３】
この発明では、複数の精製装置にてそれぞれ精製される基材留分の性状と、基材留分がそれぞれ基材タンクへ流入する流入量と、を認識し、基材留分が基材タンクに流入されて調製される基材に相当しあらかじめ基材留分を適宜混合して調製した擬似基材の性状と、認識した基材留分の性状および流入量とに基づいて、基材留分が基材タンクに流入されて調製される基材の性状を認識する。このため、基材の性状を直接測定する必要がなく、石油製品を製造するための基材の性状が逐次認識可能で、石油製品が連続的に製造可能となり、効率的な石油製品の製造が得られる。さらに、基材の性状を測定するための構成や作業などが不要となり、構成の簡略化および効率化も容易に図れる。また、擬似基材を別途調製する動作を１回実施するのみで、基材の性状を測定することなく良好な基材の性状が特定され、容易な基材の性状の認識が得られる。
【００２４】
本発明の石油製品の製造方法は、性状の異なる複数の基材を各基材の性状に基づいて適宜混合して石油製品を製造する石油製品の製造方法であって、複数の精製装置にてそれぞれ精製される基材留分の性状、および、前記基材留分がそれぞれ基材タンクへ流入する流入量を測定し、前記基材留分が前記基材タンクに流入されて調製される前記基材に相当しあらかじめ前記基材留分を適宜混合して調製した擬似基材の性状と、前記測定した各基材留分の性状および流入量とに基づいて、前記基材留分が前記基材タンクに流入されて調製される前記基材の性状を認識し、この認識した基材の性状に基づいて前記各基材を適宜混合して前記石油製品を製造することを特徴とする。
【００２５】
この発明では、複数の精製装置にてそれぞれ精製される基材留分の性状と、基材留分がそれぞれ基材タンクへ流入する流入量と、を測定し、基材留分が基材タンクに流入されて調製される基材に相当しあらかじめ基材留分を適宜混合して調製した擬似基材の性状と、測定した基材留分の性状および流入量とに基づいて、基材留分が基材タンクに流入されて調製される基材の性状を認識する。このため、基材の性状を直接測定する必要がなく基材の性状が逐次認識されるので、石油製品が連続的に製造可能となり、効率的な石油製品の製造が得られる。さらに、基材の性状を測定するための構成や作業などが不要となり、構成の簡略化および効率化も容易に図れる。また、擬似基材を別途調製する動作を１回実施するのみで、基材の性状を測定することなく良好な基材の性状が特定されるので、基材の性状の逐次認識が容易で、効率的な石油製品の製造が容易に得られる。
【００２６】
本発明の調製制御プログラムは、演算手段を、請求項１ないし請求項５のいずれかに記載の調製制御装置として機能させることを特徴とする。
【００２７】
この発明では、演算手段を請求項１ないし請求項５のいずれかに記載の調製制御装置として機能させるため、演算手段にインストールすることで、基材の性状が逐次認識可能で、石油製品の製造の効率化や構成の簡略化が容易となる構成が容易に得られ、利用の拡大が容易に図れる。
【００２８】
本発明の調製制御プログラムは、請求項１４に記載の調製制御方法を演算手段に実行させることを特徴とする。
【００２９】
この発明では、請求項１４に記載の調製制御方法を演算手段に実行させるため、石油製品の製造の効率化や構成の簡略化が容易に得られる。
【００３０】
本発明の調製制御プログラムを記録した記録媒体は、請求項１５または請求項１６に記載の調製制御プログラムが演算手段に読取可能に記録されたことを特徴とする。
【００３１】
この発明では、請求項１５または請求項１６に記載の調製制御プログラムを演算手段に適宜読み取らせる構成ので、石油製品の製造の効率化や構成の簡略化が容易に得られるとともに、プログラムを容易に取り扱いでき、利用の拡大が容易にできる。
【００３２】
なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含むものである。
【発明を実施するための最良の形態】
【００３３】
以下、本発明の一実施の形態を図面に基づいて説明する。本実施の形態では、本発明の調製制御装置を備えた石油製品の製造装置であるガソリンを調製するガソリン調製システムを例示して説明する。なお、本発明は、ガソリンに限らず、軽油や重油などの各種石油製品の製造を対象とすることができる。図１は、本実施の形態における石油製品の製造装置であるガソリン調製システムの概略構成を示すブロック図である。図２は、調製制御装置の概略構成を示すブロック図である。
【００３４】
〔ガソリン調製システムの構成〕
図１において、１００はガソリン調製システムで、このガソリン調製システム１００は、例えば、性状の異なる複数のガソリン基材を、各ガソリン基材の性状に基づいて適宜混合して、所定の性状の石油製品としてのガソリンを製造、すなわち調製するシステムである。このガソリン調製システム１００は、ガソリンを調製するプラントであるプラント系製造装置２００と、このプラント系製造装置２００の動作である運転状態を制御する制御系装置である調製制御装置３００と、を備えている。
【００３５】
プラント系製造装置２００は、原油が適宜蒸留されて得られる各種基材留分を、各基材留分の性状に基づいて適宜混合して異なる性状の各種ガソリン基材を調製し、得られた各ガソリン基材の性状に基づいてガソリン基材を適宜混合して所定の性状のガソリンを調製する装置である。このプラント系製造装置２００は、搬送ライン２１０と、管内混合装置としての混合器２２０と、複数の基材タンク２３０と、輸送ライン２４０と、ブレンド装置２５０と、製品タンク２６０と、などを備えている。
【００３６】
搬送ライン２１０は、複数の支管２１１と、これら支管２１１が連結する本管２１２と、を備えている。支管２１１は、上流側となる一端が各種精製装置１１に接続され、下流側となる他端が本管２１２に連結されている。ここで、精製装置１１は、例えば、原油を常圧蒸留および減圧蒸留あるいは加圧蒸留により得られる各種性状の基材留分を精製する。これら精製装置１１は、例えば、図示しないナフサ水素化脱硫装置、接触改質装置、改質ガソリン蒸留装置、接触分解装置などで、液化石油ガス（Liquefied Petroleum Gas：ＬＰＧ）、ナフサ、灯油、軽油、重油、残渣油（ラフィネート）などを適宜精製し、所定の性状の基材留分として支管２１１へ流出する。また、本管２１２は、一端側に各支管２１１がそれぞれ連結され、他端が基材タンク２３０に接続されている。この本管２１２は、支管２１１からそれぞれ流入する基材留分を合流して基材タンク２３０へ流入させる。なお、搬送ライン２１０には、流通する基材留分を保温や加温するための構成、例えばヒータなどの図示しない加温装置や断熱材などを備えていてもよい。また、搬送ライン２１０は、一端側に複数の精製装置１１が接続する構成に限らず、１つの精製装置１１のみが接続し、基材留分を基材タンク２３０へ流入させる構成としてもよい。すなわち、精製された基材留分をそのままガソリン基材として石油製品の調製に利用する場合などでは、１つの精製装置１１で精製した基材留分を基材タンク２３０へ搬送する構成としてもよい。
【００３７】
また、搬送ライン２１０の支管２１１には、流通する基材留分の性状を測定する留分性状測定手段２１５と、流量を調整する流量調整手段としての調整弁２１６と、留分流量測定手段としての基材留分の流量を測定する流量計２１７と、などがそれぞれ設けられている。ここで、留分性状測定手段２１５は、支管２１１を流通する基材留分の性状、例えば密度、蒸気圧、リサーチ法オクタン価、モーター法オクタン価、蒸留性状（例えば、初留点、１０％点、３０％点、５０％点、７０％点、９０％点、終点）などを測定する。そして、留分性状測定手段２１５は、測定した基材留分の性状に関する留分性状情報を、調製制御装置３００へ出力する。調整弁２１６は、例えば電磁弁などで、調製制御装置３００にて開度を適宜変更可能に制御され、支管２１１を流通する基材留分の流量を調整する。流量計２１７は、支管２１１を流通する基材留分の流量、すなわち支管２１１を介して基材タンク２３０に流入する流入量を測定する。そして、流量計２１７は、測定した基材留分の性状に関する留分流量情報を、調製制御装置３００へ出力する。なお、調整弁２１６および流量計２１７は、別体の構成に限らず、流量計２１７を備えた調整弁２１６などの一体構造でもできる。
【００３８】
混合器２２０は、例えばスタティックミキサが用いられる。この混合器２２０は、搬送ライン２１０の本管２１２に設けられ、搬送ライン２１０を流通する基材留分を管内混合する。なお、スタティックミキサとしては、乱流促進する図示しない攪拌翼の形状としてはいずれのものでも適用できる。また、混合器２２０としては、スタティックミキサに限らず、例えば各種オリフィスプレートを利用するなど、流通する基材留分を効率よく乱流させるいずれの構成のものが利用できる。さらに、混合器２２０としては、スタティックミキサやオリフィスプレートなどの動力源が不要な構成に限らず、動力により駆動して流通する基材留分を管内混合する構成、さらには管内混合に限らず、攪拌翼などを備えた混合タンクを用いるなど、いずれの構成も適用できる。
【００３９】
基材タンク２３０は、搬送ライン２１０を介して混合されつつ流通する基材留分が流入され、基材留分の混合により調製されるガソリン基材を貯留する。ここで、調製されるガソリン基材は、改質ガソリン、接触分解ガソリン、ライトナフサなどである。なお、基材タンク２３０には、貯留するガソリン基材を攪拌混合するためのミキサなどの混合装置や、ガソリン基材を加温する加温装置あるいは保温する保温材などの構成を備えていてもよい。さらに、基材タンク２３０内に貯留するガソリン基材を、搬送ライン２１０の混合器２２０の上流側に返送する循環ラインなどを設けた構成としてもよい。
【００４０】
輸送ライン２４０は、例えば搬送ライン２１０と同様に、複数の枝管２４１と、これら枝管２４１が連結する幹管２４２と、を備えている。枝管２４１は、一端が基材タンク２３０にそれぞれ連結され、他端が幹管２４２に連結されている。また、幹管２４２は、一端側に各枝管がそれぞれ連結され、他端がブレンド装置２５０に接続されている。そして、幹管２４２は、枝管２４１からそれぞれ流入するガソリン基材を合流してブレンド装置２５０へ流入させる。この輸送ライン２４０についても、流通するガソリン基材を保温や加温するための構成、例えばヒータなどの図示しない加温装置や断熱材などを備えていてもよい。
【００４１】
ブレンド装置２５０は、調製制御装置３００により制御され、各基材タンク２３０に貯留する各性状のガソリン基材を、性状に基づいて適宜混合し、ガソリンを調製する。このブレンド装置２５０としては、例えば、輸送ライン２４０の枝管２４１に設けられた流通するガソリン基材の流量を調整する図示しない開閉弁および流通するガソリン基材の流量を測定する図示しない流量計と、輸送ライン２４０を介して流入するガソリン基材を貯留する図示しない混合タンクと、などを備えている。すなわち、ブレンド装置２５０は、調製制御装置３００によりガソリン基材の性状に基づいて演算した混合比率に基づいて開閉弁が制御され、混合比率に応じた流量でガソリン基材を混合タンクに流入させて混合し、ガソリンを調製する。そして、調製されたガソリンは、製品タンク２６０へ適宜流入されて貯留される。なお、ブレンド装置２５０としては、例えば管内混合する構成を備えたものなど、ガソリン基材を適宜混合してガソリンを調製可能ないずれの構成が利用できる。
【００４２】
調製制御装置３００は、精製装置１１で精製された基材留分の性状および混合比率に基づいてガソリン基材の性状を認識し、このガソリン基材の性状に基づいてガソリン基材の混合比率を設定して、プラント系製造装置２００における所定の性状のガソリンを調製させる制御をする。すなわち、図２に示すように、調製制御装置３００には、プラント系製造装置２００に配設された留分性状測定手段２１５、調整弁２１６および流量計２１７が接続されている。そして、調製制御装置３００は、留分性状測定手段２１５で測定した基材留分の性状に関する留分性状情報、および、流量計２１７で測定した基材留分の流量に関する留分流量情報を取得し、混合器２２０で混合されて調製され各基材タンク２３０に貯留するガソリン基材の性状を演算により認識する。また、調製制御装置３００は、演算したガソリン基材の性状が、あらかじめ設定された所定のガソリン基材の性状となる状態に、調整弁２１６を制御して流量を調整させる制御や、精製装置１１の精製条件などを制御可能となっている。さらに、調製制御装置３００は、演算したガソリン基材の性状に基づいて、ブレンド装置２５０を制御し、各基材タンク２３０に貯留する各性状のガソリン基材を、各性状に基づいて適宜混合させる制御をする。そして、この調製制御装置３００は、例えばＣＰＵ（Central Processing Unit）などを備えた記憶手段３１０と、演算手段３２０と、などを備えている。
【００４３】
記憶手段３１０は、所定の性状のガソリン基材を調製するための目標値となる各基材留分の性状に関する留分性状値情報と、その目標値となるガソリン基材の性状にする各基材留分の混合比率に関する留分比率情報とを１つの基材目標値情報として記憶する。この基材目標値は、基材留分が基材タンク２３０に流入されて調製されるガソリン基材に相当する擬似基材としての擬似サンプルをあらかじめ調製し、ガソリン評価指定試験法に基づいて分析した擬似サンプルの性状値に関する情報と、擬似サンプルの調製時における基材留分の混合比率の値に関する情報とを１つに関連付けた情報である。また、記憶手段３１０には、基材留分が基材タンク２３０に流入されて実際に調製されるガソリン基材の性状を補正、すなわちガソリン基材の調製時における各基材留分の性状の測定値と各基材留分の流量の測定値とに基づいて演算されるガソリン基材の性状を補正するための情報を記憶する。この補正するための情報は、擬似サンプルの分析した性状の分析値とこの擬似サンプルの調製時における基材留分の性状と流量とに基づいて演算した擬似サンプルの性状と、ガソリン基材の調製時における各基材留分の性状の測定値と各基材留分の流量の測定値とに基づいて演算されるガソリン基材の性状との誤差を補正するための補正値に関する情報である。具体的には、記憶手段３１０は、基材留分の性状と流量とに基づいてガソリン基材の性状を演算する演算式に補正値を考慮した性状推定式を記憶する。この演算するガソリン基材の性状としては、例えば密度、蒸気圧、リサーチ法オクタン価、モーター法オクタン価および蒸留性状（初留点、１０％点、３０％点、５０％点、７０％点、９０％点、終点）である。なお、ガソリン評価指定試験法による擬似サンプルの分析した性状として、密度（１５℃）はJIS-K-2249、蒸留はJIS-K-2254、蒸気圧はJIS-K-2258、リサーチ法オクタン価およびモータ法オクタン価はJIS-K-2280に基づいて分析される。そして、性状推定式としては、以下に示す演算式である。
【００４４】
（密度の性状推定式）
Ｄ＝Σ（Ｄi×Ｖi）±補正値
Ｄ：基材の密度〔１５℃，ｇ／ｃｍ3〕
Ｄi  ：各基材留分の密度〔１５℃，ｇ／ｃｍ3〕
Ｖi  ：各基材留分の混合比率〔容積比〕
【００４５】
（蒸気圧の性状推定式）
ＲＶＰ＝Σ（ＲＶＰi×Ｖi）±補正値
ＲＶＰ：基材の蒸気圧〔ｋＰａ〕
ＲＶＰi  ：各基材留分の蒸気圧〔３７．８℃，ｋＰａ〕
Ｖi  ：各基材留分の混合比率〔ｍｏｌ比〕
【００４６】
（リサーチ法オクタン価の性状推定式）
ＲＯＮ＝Σ（ＲＯＮi×Ｖi）±補正値
ＲＯＮ：基材のリサーチ法オクタン価
ＲＯＮi  ：各基材留分のリサーチ法オクタン価
Ｖi  ：各基材留分の混合比率〔容積比〕
【００４７】
（モーター法オクタン価の性状推定式）
ＭＯＮ＝Σ（ＲＯＮi×Ｖi）±補正値
ＭＯＮ：基材のリサーチ法オクタン価
ＭＯＮi  ：各基材留分のリサーチ法オクタン価
Ｖi  ：各基材留分の混合比率〔容積比〕
【００４８】
（蒸留性状の性状推定式）
Ｄist＝各基材留分の各蒸留性状からサンプルの蒸留を合成した値±補正値〔℃〕
【００４９】
また、記憶手段３１０には、所定の性状のガソリンを調製するための目標値となる各ガソリン基材の性状値に関する基材性状値情報と、そのガソリンの目標となる性状とする各ガソリン基材の混合比率に関する基材比率情報とを１つの製品目標値情報として記憶する。さらに、記憶手段３１０は、ガソリン調製システム１００全体を動作制御するＯＳ（Operating System）上に展開される各種プログラムなどをも記憶している。なお、記憶手段３１０としては、例えば半導体メモリのみならず、ＨＤ（Hard Disk）やＦＤ（Flexible Disk）などの磁気ディスク、ＣＤ（Compact Disc）やＤＶＤ（Digital Versatile Disc）などの光ディスク、光磁気ディスク、磁気テープ、メモリカードなどの記録媒体に読み出し可能に記憶するドライブやドライバなどを備えた構成や、半導体メモリなど、演算手段３２０が情報を読出可能に記憶するいずれの構成が利用できる。
【００５０】
演算手段３２０は、留分性状測定手段２１５、調整弁２１６および流量計２１７などと各種情報を送受信可能に接続する図示しない各種入出力ポートを有している。そして、演算手段３２０は、各種プログラムとして、留分性状認識手段３２１と、留分流量認識手段３２２と、基材特性認識手段３２３と、留分流量制御手段３２４と、などを備えている。留分性状認識手段３２１は、搬送ライン２１０に配設された留分性状測定手段２１５から出力される留分性状情報を取得し、搬送ライン２１０の各支管２１１をそれぞれ流通する基材留分の性状を認識する。この取得した留分性状情報は、記憶手段３１０へ適宜出力されて記憶される。留分流量認識手段３２２は、搬送ライン２１０に配設された流量計２１７から出力される留分流量情報を取得し、搬送ライン２１０の各支管２１１をそれぞれ流通する基材留分の流入量を認識する。この取得した留分流量情報は、記憶手段３１０へ適宜出力されて記憶される。基材特性認識手段３２３は、基材留分が基材タンク２３０に流入されて調製されるガソリン基材の性状を認識する。このガソリン基材の性状の認識は、各留分性状情報における各基材留分の性状と、各留分流量情報における各基材留分の流量とに基づいて演算した性状を、擬似サンプルであらかじめ算定した性状および分析した性状の分析値に基づいて補正して、基材タンク２３０に貯留するガソリン基材の性状を認識する。具体的には、上述した記憶手段３１０に記憶された性状推定式に基づいて演算された演算結果をガソリン基材の性状として認識する。留分流量制御手段３２４は、調整弁２１６を制御し、基材目標値情報の留分比率情報に基づいて支管２１１を流通する各基材留分の流量を制御、すなわち、留分比率情報における基材留分の混合比率に基づく流量となる状態に、実際に流通する基材留分の流量を調整する制御をする。また、演算手段３２０は、ブレンド装置２５０を制御し、基材特性認識手段３２３で認識したガソリン基材の性状と、製品目標値情報とに基づいて、各基材タンク２３０に貯留するガソリン基材を所定の混合比率で混合し、ガソリンを調製する制御をも実施する。
【００５１】
〔ガソリン調製システムの作用〕
次に、上述した図１に示すガソリン調製システム１００の作用として、ガソリンの調製動作について説明する。図３は、ガソリンの調製時における基材を所定の性状に調製する動作を示すフローチャートである。
【００５２】
まず、調製制御装置３００は、演算手段３２０の留分性状認識手段３２１により、留分性状測定手段２１５で測定され搬送ライン２１０の各支管２１１を流通する各基材留分の性状を認識、例えば基材留分の密度（Ｄi）、蒸気圧（ＲＶＰi）、リサーチ法オクタン価（ＲＯＮi）、モーター法オクタン価（ＭＯＮi）、蒸留性状（初留点、１０％点、３０％点、５０％点、７０％点、９０％点、終点）の留分性状情報を取得する（ステップＳ１０１）。また、調製制御装置３００は、演算手段３２０の留分流量認識手段３２２により、流量計２１７で測定され搬送ライン２１０の各支管２１１を流通する各基材留分の流入量を認識、すなわち各基材留分の流量に関する留分流量情報を取得する（ステップＳ１０２）。
【００５３】
そして、演算手段３２０は、基材特性認識手段３２３により、記憶手段３１０に記憶された各性状推定式を用いて、各基材留分の性状および流量に基づいて、ガソリン基材の性状を演算により認識する（ステップＳ１０３）。このステップＳ１０３で認識したガソリン基材の性状が、あらかじめ設定されて記憶手段３１０に記憶された基材目標値情報と比較し、所定の性状となっているか否かを判断する（ステップＳ１０４）。そして、ステップＳ１０４において、所定の性状となっていると判断すると、性状推定式にて演算したガソリン基材の性状を基材タンク２３０に貯留するガソリン基材の性状として認識し、記憶手段３１０へ適宜出力して記憶させる（ステップＳ１０５）。一方、ステップＳ１０４において、所定の性状となっていないと判断すると、留分流量制御手段３２４により各調整弁２１６を制御して適宜流量を変更する処理をし、ステップＳ１０２に戻る。すなわち、ガソリン基材の性状が所定の性状となる状態に流量を適宜調製する処理をする。
【００５４】
この後、演算手段３２０は、ガソリンの調製処理の中断や中止などの停止要求の有無を判断する（ステップＳ１０６）。そして、停止要求があったことを認識すると、演算手段３２０はガソリンの調製処理を中断あるいは中止する処理をする。一方、ステップＳ１０６において、停止要求がないことを認識すると、ステップＳ１０１に戻って、ガソリン基材の性状を特定する処理を継続する。このようにして、ガソリン基材の性状を繰り返し演算することで、調製されるガソリン基材の性状が連続的に監視される状態となる。そして、調製制御装置３００は、上述した処理により認識したガソリン基材の性状と、製品目標値情報とに基づいて、ブレンド装置２５０を制御し、ガソリン基材の流量を適宜調整して、所定の性状のガソリン基材を調製する処理をする。
【００５５】
〔ガソリン調製システムの作用効果〕
上述したように、上記実施の形態によれば、留分性状認識手段３２１にて認識し複数の精製装置１１にてそれぞれ精製される基材留分の性状と、留分流量認識手段３２２にて認識し基材留分がそれぞれ基材タンク２３０へ流入する流入量と、基材留分が基材タンク２３０に流入されて調製されるガソリン基材に相当しあらかじめ基材留分を適宜混合して調製した擬似サンプルの性状と、に基づいて、基材特性認識手段３２３により基材留分が基材タンク２３０に流入されて調製されるガソリン基材の性状を認識している。このため、ガソリン基材の性状を直接測定する必要がなく、ガソリンを製造するためのガソリン基材の性状を逐次認識でき、ガソリンを連続的に製造でき、効率的にガソリンを製造できる。さらに、ガソリン基材の性状を測定するための構成や作業などが不要となり、構成の簡略化および効率化も容易に図れる。また、擬似サンプルを別途調製する動作を１回実施するのみで、ガソリン基材の性状を測定することなく精度良く良好にガソリン基材の性状を特定でき、容易にガソリン基材の性状を認識できる。
【００５６】
また、基材特性認識手段３２３により、留分性状認識手段３２１で認識した各基材留分の性状および留分流量認識手段３２２で認識した各基材留分の流入量に基づくガソリン基材の性状を、別途調製した擬似サンプルにおける調製時の基材留分の各性状および混合比率に基づいて演算される性状と、調製後の擬似サンプルにおける性状の実際の分析値とに基づいて補正し、ガソリン基材の性状を認識する。このため、ガソリン基材を測定する必要なく精度良く良好にガソリン基材の性状を逐次特定できるとともに、良好なガソリン基材の性状の特定を補正する演算などにより迅速で効率的に容易に得ることができる。したがって、より効率よくガソリンを調製できる。
【００５７】
そして、基材特性認識手段３２３により、別途調製した擬似サンプルにおける調製時の基材留分の性状および混合比率に基づいて演算される性状と、調製後の擬似サンプルにおける性状の実際の分析値との差異を補正する補正値を利用して、留分性状認識手段３２１で認識した各基材留分の性状および留分流量認識手段３２２で認識した各基材留分の流入量に基づいてガソリン基材の性状を認識、すなわち補正値により補正している。このため、ガソリン基材を測定する必要なく精度良く良好にガソリン基材の性状を逐次特定できるとともに、良好なガソリン基材の性状の特定を補正値により補正する演算により迅速で効率的に容易に得ることができ、効率のよいガソリンの調製が容易に得られる。
【００５８】
また、基材留分の性状に流入量に基づく混合比率を積算した総和を、別途調製した擬似サンプルの演算された性状および実際の分析値の性状との差異を補正する補正値で補正して基材の性状を認識、すなわち性状推定式を利用してガソリン基材の性状を認識している。このため、ガソリン基材を測定する必要なく精度良く良好にガソリン基材の性状を逐次特定できるとともに、良好なガソリン基材の性状の特定が簡単な性状推定式の演算により迅速で効率的に容易に得ることができ、効率のよいガソリンの調製が容易に得られるとともに、ガソリンを調製するための制御構成を容易に簡略化できる。
【００５９】
さらに、留分流量制御手段３２４により、調整弁２１６にて調整される基材留分が基材タンク２３０へ流入する各流入量を、認識したガソリン基材の性状がガソリンを製造するために必要なガソリン基材の性状に対応する性状となる流入量に制御している。このため、基材留分が流入して調製されたガソリン基材を、認識したガソリン基材の性状に基づいて適宜混合させるガソリンの製造に直ちに利用でき、効率的にガソリンを製造できるとともに、自動的な制御が容易にでき、ガソリンの製造が容易にできる。
【００６０】
また、各基材留分を基材タンクへ流入させる搬送ライン２１０に、各基材留分を混合する混合器２２０を設けている。このため、短時間で略均一なガソリン基材が調製できる。さらには、混合器２２０としてスタティックミキサを用いることにより、簡単な構成で効率よく短時間でガソリン基材を調製できるとともに、動力源が不要であることから、調製コストの低減も容易に図れる。また、各基材留分が流通する支管２１１を１本に連結する本管２１２に管内混合する構成を設けることで、基材留分が本管２１２で合流する際にある程度混合される状態となり、管内混合の効率がより向上し、装置構成の簡略化およびガソリン基材のより効率的な調製が簡単な構成で容易に得られる。
【００６１】
そして、演算手段３２０を例えばＣＰＵなどを用いてプログラムとして構成しているので、プログラムをインストールすることで、ガソリン基材を測定する必要なく精度良く良好にガソリン基材の性状を逐次特定できるとともに、良好なガソリン基材の性状の特定が簡単な性状推定式の演算により迅速で効率的に容易に得ることができる構成が容易に得られ、利用の拡大が容易に図れる。さらには、そのプログラムを記録媒体に記録し、演算手段３２０、すなわちコンピュータに適宜読み取らせる構成とすることで、容易にガソリン基材の性状を逐次特定でき、良好なガソリン基材の性状の特定が簡単な性状推定式の演算により迅速で効率的に容易に得ることができる構成が得られるとともに、プログラムを容易に取り扱いでき、利用の拡大が容易にできる。
【００６２】
〔実施の形態の変形〕
なお、本発明は、好適な実施の形態を挙げて説明したが、上述した実施の形態に限定されるものではなく、本発明の目的を達成できる範囲で以下に示されるような変形をも含むものである。
【００６３】
例えば、上述したように、ガソリンの調製に限らず、混合により調製する軽油や重油などの各種石油製品を対象とすることができる。また、基材留分からガソリン基材を調製する工程におけるガソリン基材の性状を特定する構成について説明したが、各種ガソリン基材からガソリンを調製する構成におけるガソリンの性状を特定する構成に利用してもよい。さらには、これら各工程におけるガソリン基材の性状の特定と、ガソリンの性状の特定とでそれぞれ利用する構成としてもよい。
【００６４】
そして、基材留分の性状として、搬送ライン２１０に設けた留分性状測定手段２１５にて測定する構成に限らず、例えば精製装置１１の精製時で得られる性状を留分性状認識手段３２１で認識するなどしてもよい。
【００６５】
また、ガソリン基材の性状の特定として、上述した性状推定式に限られない。すなわち、補正値を加減する演算式に限らず、例えば補正係数を乗除するなど、別途調製した擬似サンプルにおける調製時の基材留分の各性状および混合比率に基づいて演算される性状と、調製後の擬似サンプルにおける性状の実際の分析値とに基づいて、留分性状認識手段３２１で認識した各基材留分の性状および留分流量認識手段３２２で認識した各基材留分の流入量に基づいて演算するガソリン基材の性状を適宜補正するいずれの演算方法が利用できる。
【００６６】
そして、搬送ライン２１０としては、支管２１１が１箇所で本管２１２に連結される構成に限らず、適宜連結されて最終的に１本の本管２１２となる状態にしてもよい。また、搬送ライン２１０は、１本の本管２１２に限らず、並列に複数対設けてもよい。さらに、循環ラインを設けなくてもよい。また、調整弁２１６を制御して流量を自動制御する構成について説明したが、手動により調製してもよい。さらに、本管２１２中に混合器２２０を設ける構成に限らず、混合器２２０の流入側に各支管２１１、さらには循環ラインを連結し、混合器２２０の流出側に本管２１２を接続する構成としてもよい。すなわち、スタティックミキサのシェル部分を本管２１２として機能させるようにしてもよい。また、上述したように、混合器２２０は、スタティックミキサに限らず、管内混合機能を有するいずれの構成、さらには管内混合機能を利用せず、基材タンク２３０に設けた攪拌機能を対象としてもよい。
【００６７】
また、演算手段３２０としてプログラムにて構成して説明したが、プログラムに限らず、電子部品を適宜搭載した回路構成などのハードウェア構成により性状を特定するいずれの構成としてもよい。
【００６８】
さらに、ガソリン調製システム１００で説明したが、各種石油製品を調製するプラント系製造装置に組み付ける調製制御装置、さらにはパーソナルコンピュータなどにインストールすることで調製制御装置として機能させるプログラム、そのプログラムを記録した記録媒体の構成など、いずれの形態が利用できる。
【００６９】
その他、本発明は上述の実施の形態における具体的な構造および手順に限定されるものではなく、本発明の目的を達成できる範囲での変形、改良、設計の変更などは本発明に含まれるものである。
【産業上の利用可能性】
【００７０】
本発明は、ガソリンを調製するシステムに利用できる他、軽油や重油など、基材を適宜混合してなる各種石油製品の調製にも利用することができる。
【図面の簡単な説明】
【００７１】
【図１】本発明の一実施の形態におけるガソリン調製システムの概略構成を示すブロック図である。
【図２】前記実施の形態における調製制御装置の概略構成を示すブロック図である。
【図３】前記実施の形態におけるガソリンの調製時における基材を所定の性状に調製する動作を示すフローチャートである。
【符号の説明】
【００７２】
１１…精製装置
１００…石油製品の製造装置であるガソリン調製システム
２１０…搬送ライン
２１５…留分性状測定手段
２１６…流量調整手段としての調整弁
２１７…留分流量測定手段としての流量計
２２０…管内混合装置としての混合器
２３０…基材タンク
３００…演算手段
３２１…留分性状認識手段
３２２…留分流量認識手段
３２３…基材性状特定手段
３２４…留分流量制御手段
【図１】
2006225507.tif 000003
【図２】
2006225507.tif 000004
【図３】
2006225507.tif 000005